(57)【要約】【課題】  安全かつ効率よく、しかも苦痛や恐怖心を与えることなくペットの爪切りやシャンプー等の美容および医療等を容易に施せるようにすること。【解決手段】  ペットの胴体を支えるスリングと、該スリングの四隅に接続されるフィンとを有し、該フィンにベルトを接続して吊り上げることにより、前記ペットの４本の足を固定して吊り上げながら拘束することによって、ペットが暴れたり噛みついたり、また引掻いたりできないようにしたペット拘束具。【選択図】  図１
2005143479.tif 000002
【特許請求の範囲】
【請求項１】
ペットの胴体を支えるスリングと、該スリングの四隅に接続されるフィンと、吊り下げ架台と、を有し、該フィンにベルトを接続して吊り上げることにより、前記ペットの４本の足を固定して吊り上げながら拘束し、該吊り下げ架台に固定することを特徴とするペット拘束具。
【請求項２】
前記スリングに、ペットの体長に合わせて長さを調節するアジャスターを設けることを特徴とする請求項１に記載のペット拘束具。
【請求項３】
前記ベルトに、ペットの体高に合わせて長さを調節するアジャスターを設けることを特徴とする請求項１または請求項２に記載のペット拘束具。
【発明の詳細な説明】
【技術分野】
【０００１】  本発明は、安全かつ効率よく、しかも苦痛や恐怖心を与えることなくペットの身体の構造を利用したペットの拘束具であり、ペットの爪切りやシャンプーおよび医療等を容易に施せる装置に関するものである。
【背景技術】
【０００２】  従来、家庭で飼育されている犬や猫等のペットの爪切りやシャンプーおよび医療等を施す場合、ペットの身体が動かないように飼い主が手で固定する必要があるが、身体を押さえつけられたペットは、恐怖心により暴れて噛みついたり、または爪で引掻くことがあるため、その作業を行うことは容易ではない。そのため、ペットの身体を固定するためにペットの首を固定して動けないようにしたり、網で身体全体を包み込み吊り上げる型の拘束装置が検討されている。
【特許文献１】  特開２００２−０９５３７４号
【特許文献２】  特開２００２−２９１７７４号
【特許文献３】  特開平１１−０３３０４８号
【発明の開示】
【発明が解決しようとする課題】
【０００３】  かかるペットの拘束装置において、ペットの首を強固に固定するものは、押さえつけられることへの恐怖心から、暴れて頚椎を損傷する恐れがあり、また網で身体全体を包み込み拘束するものは、四肢は自由に動かせるため、爪切り作業は困難であり、また胴体が網で包まれているためシャンプーも容易ではない。前記理由により安全かつ効率よく、ペットの身体を固定しながら爪切りやシャンプーおよび医療等を施すという観点からは、依然として課題を残すものである。
本発明は、これらの問題点を解決するためになされたものである。
【課題を解決するための手段】
【０００４】  本来、四足で歩行する動物はその身体の構造上、前足の肘関節を前方に、後足の膝関節を後方に伸ばすと、前足の前繋部および後足の後繋部も同時に伸び、四肢が前後に突っ張った状態となり、自由に身動きができなくなる。本発明は前記の四足歩行動物の身体の構造を利用してペットを拘束するためのものであり、丈夫で耐久性の高い素材でできた網状のスリングによってペットの胴体を支え、前記スリングに接続された２個づつ一対になった４つのフィンをペットの４本の足にそれぞれ固定し、前記フィンに接続したベルトを持ち上げることによって前記フィンが吊り上り、結果としてペットの前足の肘関節を前方に、後足の膝関節を後方に伸ばした状態でペットの身体を空中で拘束するものである。
以上を特徴とするペット拘束具。
【発明の効果】
【０００５】  ペットの胴体に４つのフィンが接続されたスリングを装着し、前記フィンに接続したベルトを持ち上げるだけの単純な作業でペットの四肢を前後に突っ張らせ、苦痛や恐怖心を与えることなく、容易にペットの身体を空中で拘束することができる。ペットの四肢を突っ張らせることによって四肢の動きは固定され、爪先の自由が利かなくなるため、面倒な爪切りやシャンプーおよび医療等の作業を容易に、しかも安全に施すことができる。
【発明を実施するための最良の形態】
【０００６】  以下、本発明の実施の形態について説明する。
（イ）  丈夫で耐久性の高い素材でできた網状のスリングＡ（１）の一辺に、内側に湾曲する２つのフィン（５ａ）の端をペットの両前足の幅に合わせた間隔で接続する。
（ロ）  スリングＡ（１）のフィン（５ａ）を接続した反対側の一辺の両端に、長さ調整ベルト（１０ａ）を接続し、前記長さ調整ベルト（１０ａ）の中央部にアジャスター（７）を、前記長さ調整ベルト（１０ａ）の端にバックル（８）を装着する。
（ハ）  スリングＡ（１）のフィン（５ａ）を接続した辺と隣接する一辺の端にＤ型カン（１１ａ）および胴体固定ベルト（３ａ）を接続し、前記胴体固定ベルト（３ａ）の端に面ファスナー（４ａ）を装着する。
（ニ）  前記２つのフィン（５ａ）のそれぞれの両脇にＤ型カン（６ａ）（６ｂ）およびＤ型カン（６ｃ）（６ｄ）を装着する。
（ホ）  丈夫で耐久性の高い素材でできたスリングＢ（２）の一辺に、内側に湾曲する２つのフィン（５ｂ）の端をペットの両後足の幅に合わせた間隔で接続する。
（ヘ）  スリングＢ（２）のフィン（５ｂ）を接続した反対側の一辺の両端に、長さ調整ベルト（１０ｂ）を接続し、前記長さ調整ベルト（１０ｂ）の端にバックル（９）を装着する。
（ト）  スリングＢ（２）のフィン（５ｂ）を接続した辺と隣接する一辺の端にＤ型カン（１１ｃ）および胴体固定ベルト（３ｂ）を接続し、前記胴体固定ベルト（３ｂ）の端に面ファスナー（４ｂ）を装着する。
（チ）  前記２つのフィン（５ｂ）のそれぞれの両脇にＤ型カン（６ｅ）（６ｆ）およびＤ型カン（６ｇ）（６ｈ）を装着する。
（リ）  両端が分岐していて二本で構成されるベルト（１２）に、長さが調節できるようにアジャスター（１３）を装着し、前記ベルトの両先端８箇所にナスカン（１４ａ）（１４ｂ）（１４ｃ）（１４ｄ）（１４ｅ）（１４ｆ）（１４ｇ）（１４ｈ）を装着する。
（ヌ）  前記ベルトの中央部にバックル（１５）を装着し、前記バックル（１５）にナスカン（１６）を装着する。
本発明は以上のような構成で、これを使用するときは、スリングＡ（１）およびスリングＢ（２）にそれぞれ接続されている長さ調整ベルト（１０ａ）および（１０ｂ）をバックル（８）およびバックル（９）によって繋ぎ合わせ、一体化させる。前記一体化したスリングＡ（１）とスリングＢ（２）をフィン（５ａ）およびフィン（５ｂ）が下になる向きにしてペットの腹部にあてがい、スリングＡ（１）に接続されているフィン（５ａ）の接続部をペットの脇の下にあてがいながら、スリングＡ（１）に接続されている胴体固定ベルト（３ａ）をペットの首部に回し、面ファスナー（４ａ）によって、スリングＡ（１）に接続されているフィン（５ａ）の接続部とペットの脇の部分に隙間が開かないように固定する。同様にしてスリングＢ（２）に接続されているフィン（５ｂ）の接続部をペットの後足の付け根にあてがいながら、スリングＢ（２）に接続されている胴体固定ベルト（３ｂ）をペットの腰部に回し、面ファスナー（４ｂ）によって、スリングＢ（２）に接続されているフィン（５ｂ）の接続部とペットの後足の付け根の部分に隙間が開かないように固定する。前記作業により一体化したスリングＡ（１）およびスリングＢ（２）がペットの胴体に固定されたら、フィン（５ａ）およびフィン（５ｂ）の位置が移動せず、またスリングＡ（１）およびスリングＢ（２）に接続された長さ調整ベルト（１０ａ）および（１０ｂ）が弛まないように、アジャスター（７）によって前記長さ調整ベルト（１０ａ）の長さを調節する。
前記作業により、前記スリングＡ（１）およびスリングＢ（２）をペットの身体に装着した後、前記ベルト（１２）の先端に装着されているナスカン（１４ａ）（１４ｂ）（１４ｃ）（１４ｄ）（１４ｅ）（１４ｆ）（１４ｇ）（１４ｈ）を、スリングＡ（１）およびスリングＢ（２）に接続されているフィン（５ａ）およびフィン（５ｂ）に装着されているそれぞれのＤ型カン（６ａ）（６ｂ）（６ｃ）（６ｄ）（６ｅ）（６ｆ）（６ｇ）（６ｈ）に、ペットの４本の足が４つのフィン（５ａ）および（５ｂ）に固定されるようにして接続する。
前記作業により、前記スリングＡ（１）およびスリングＢ（２）に前記ベルト（１２）が接続された後、前記ベルト（１２）に装着されているバックル（１５）を上方に持ち上げると、スリングＡ（１）に接続された２つのフィン（５ａ）およびスリングＢ（２）に接続されている２つのフィン（５ｂ）も上方に吊り上り、結果として２つのフィン（５ａ）に固定されているペットの両前足および２つのフィン（５ｂ）に固定されているペットの両後足も同時に吊り上げられ、ペットはスリングＡ（１）およびスリングＢ（２）によって胴体を支えられながら、四肢を前後に突っ張った状態のまま空中で拘束される。
前記作業により、ペットを吊り上げた前記ベルト（１２）に装着されているバックルに接続されているナスカン（１６）を、吊り下げ架台に装着されているリング（２７）に接続することによって、図１に示すように人手をかけずに吊り上げられたペットを空中で拘束することができる。
【実施例１】
【０００７】  吊り下げ架台は脚部にキャスター（２３）を装着することによって、ペットを拘束した状態で場所の移動が可能となり、角度調整レバー（２４）を装着することによって、拘束したペットの高さを変えることが可能となる。
また、複数の人間によってペットの身体を空中で拘束しながらペットの爪切りやシャンプーおよび医療等の作業を施す場合は、図２に示すように吊り下げ架台の代わりに吊り下げハンドルを前記ベルト（１２）のナスカン（１６）に接続して、一人が前記吊り下げハンドルを持ち上げてもよい。また、シャンプーするだけの目的であれば、図３に示すように前記ベルト（１２）を前記スリングＡ（１）およびスリングＢ（２）に装着されているＤ型カン（１１ａ）（１１ｂ）（１１ｃ）（１１ｄ）に接続すれば、ペットを吊り上げながら四肢も充分に洗えることができ、ペットは足が接地していないので身震いをすることができないため、シャンプー中ペットにかかった水が周囲に飛び散ることもなく、嫌がるシャンプー後のドライヤーかけも容易に施すことができる。
【図面の簡単な説明】
【０００８】
【図１】  本発明の実施例１
【図２】  本発明の実施例２
【図３】  本発明の実施例３
【図４】  スリングＡおよびスリングＢの平面図
【図５】  スリングＡおよびスリングＢの側面図
【図６】  ベルト
【図７】  吊り下げハンドル
【図８】  吊り下げ架台の斜視図
【符号の説明】
【０００９】  １  スリングＡ
２  スリングＢ
３ａ、３ｂ  胴体固定ベルト
４ａ、４ｂ  面ファスナー
５ａ、５ｂ  フィン
６ａ、６ｂ、６ｃ、６ｄ、６ｅ、６ｆ、６ｇ、６ｈ  Ｄ型カン
７  アジャスター
８、９  バックル
１０ａ、１０ｂ  長さ調整ベルト
１１ａ、１１ｂ、１１ｃ、１１ｄ  Ｄ型カン
１２  ベルト
１３  アジャスター
１４ａ、１４ｂ、１４ｃ、１４ｄ、１４ｅ、１４ｆ、１４ｇ、１４ｈ  ナスカン
１５  バックル
１６  ナスカン
１７  吊り下げハンドル
１８  固定ベルト
１９  リング
２０  支柱
２１  土台
２２  キャスター
２３  角度調節レバー
２４  アーム
２５  チェーン
２６  リング
【図１】
2005143479.tif 000003
【図２】
2005143479.tif 000004
【図３】
2005143479.tif 000005
【図４】
2005143479.tif 000006
【図５】
2005143479.tif 000007
【図６】
2005143479.tif 000008
【図７】
2005143479.tif 000009
【図８】
2005143479.tif 000010